(57)【要約】【課題】エレベータ装置の乗りかごの外面に設けられた機器に延びるケーブルの余剰部分を削減する。【解決手段】エレベータ装置は、乗りかご１０と、乗りかごの外面に取り付けられたかご枠４０と、乗りかご１０に固定された操作盤ダクト１４の内部に設けられた端子部と、中継ボックス５９と、中継ボックス５９と端子部とをつなぐ集中配線５８と、を備える。かご枠４０から所定の距離に設けられた、かご手すり戻し忘れスイッチ５２、固定スイッチ５４および非常止めスイッチ５６などの機器と、中継ボックス５９とは、末端配線５７で接続される。【選択図】図１
2010100356.tif 000002
【特許請求の範囲】
【請求項１】
乗りかごと、
前記乗りかごの外面に取り付けられたかご枠と、
前記かご枠から所定の距離に設けられた機器と、
前記乗りかごに固定された端子部と、
前記かご枠から所定の距離に設けられた中継ボックスと、
前記中継ボックスと前記端子部とをつなぐ集中配線と、
前記中継ボックスと前記機器とをつなぐ末端配線と、
を有することを特徴とするエレベータ装置。
【請求項２】
前記機器は、前記乗りかごの上面に取り付けられた点検用手すりの開閉を検知するかご手すり戻し忘れスイッチ、前記乗りかごの上面に乗った点検員が操作可能な位置に設けられて前記乗りかごの移動を禁止する固定スイッチ、および、前記乗りかごの移動を停止させる非常止めスイッチの少なくとも一つを含むことを特徴とする請求項１に記載のエレベータ装置。
【請求項３】
前記機器は、前記乗りかごの底面のたわみを検知する荷重センサ、前記乗りかごが所定の速度以上で上昇または下降した際に動作するセフティが動作したことを検知するセフティリンクスイッチ、および、前記乗りかごの下方を照らす尾灯の少なくとも一つを含むことを特徴とする請求項１または請求項２に記載のエレベータ装置。
【発明の詳細な説明】
【技術分野】
【０００１】
本発明は、エレベータ装置に関する。
【背景技術】
【０００２】
エレベータは、乗りかごが昇降路の内部を上下に移動する装置である。乗りかごには、乗客が行き先階を指定し、また、乗りかごのドアの開閉を指示するためのボタンを備えた操作盤（ＣＯＰ）が設けられる。操作盤は、これらのボタンを介して乗客から与えられる指示および昇降路の上に設けられたエレベータの全体の制御装置からの指示を受けて乗りかごを操作する。
【０００３】
また、乗りかごの外面には、さまざまな機器が取り付けられる。たとえば、乗りかごの上面には、点検のために乗りかごの移動を禁止するスイッチが設けられる。このような機器は、操作盤を経由して信号を授受し、電力の供給を受ける。このため、操作盤と乗りかごの外面に取り付けられた機器との間には、ケーブルが延びている。
【０００４】
エレベータ装置は、設置場所の建屋の構造や、必要な輸送量・速度などに応じて、さまざまな形状に形成される。しかし、あらゆる形状に対応できるようにすると、製造のコストや、組立の手間が増える。
【０００５】
そこで、一般的に、ある程度の標準化が行われ、標準化された形状からの変形によって個々の設置場所に対応する。エレベータ装置の形状を標準化したとしても、その標準化された形状から変形されると、操作盤と乗りかごの外面に取り付けられた機器との間に延びるケーブルの必要な長さは変化する。
【０００６】
また、エレベータ装置は、設置場所において組み立てられる。組立の際に、設置場所固有の条件に対応することなどのため、操作盤と乗りかごの外面に取り付けられた機器との間に延びるケーブルには、ある程度の余裕を持たせておく必要がある。
【特許文献１】特開平１１−３２２２３２号公報
【発明の開示】
【発明が解決しようとする課題】
【０００７】
エレベータ装置の乗りかごの外面に設けられた機器と操作盤との間に延びるケーブルに必要な長さは、設置場所などの違いによって異なる。このため、ケーブルに余剰部分を設けないようにするためには、設置場所においてケーブルを適当な長さに切断した上で結線するという手間が生じる。
【０００８】
また、ケーブルに余剰部分を設けたままとすると、そのケーブルの余剰部分が点検作業などの邪魔になる可能性がある。このため、ケーブルの余剰部分を配線ダクトなどに収納する方法がある（たとえば特許文献１参照）。しかし、この方法では、ケーブルの物量自体は削減されない。また、設置工事の際に、ケーブルを適切に折り返すなどによって配線ダクトに収納する手間が生じる。
【０００９】
そこで本発明は、エレベータ装置の乗りかごの外面に設けられた機器に延びるケーブルの余剰部分を削減することを目的とする。
【課題を解決するための手段】
【００１０】
上述の目的を達成するため、本発明は、エレベータ装置において、乗りかごと、前記乗りかごの外面に取り付けられたかご枠と、前記かご枠から所定の距離に設けられた機器と、前記乗りかごに固定された端子部と、前記かご枠から所定の距離に設けられた中継ボックスと、前記中継ボックスと前記端子部とをつなぐ集中配線と、前記中継ボックスと前記機器とをつなぐ末端配線と、を有することを特徴とする。
【発明の効果】
【００１１】
本発明によれば、エレベータ装置の乗りかごの外面に設けられた機器に延びるケーブルの余剰部分を削減することができる。
【発明を実施するための最良の形態】
【００１２】
本発明に係るエレベータ装置の実施の形態を、図面を参照して説明する。
【００１３】
図３は、本発明に係るエレベータ装置の一実施の形態における側面図である。
【００１４】
エレベータ装置は、乗客を乗せる乗りかご１０と、乗りかご１０を昇降させる駆動モーター２０を有している。乗りかご１０は、建築物内に形成された鉛直方向に延びる昇降路３０に配置される。駆動モーター２０は、たとえば昇降路３０の上部に位置する機械室３２に設置される。
【００１５】
乗りかご１０は、駆動モーター２０に掛け渡されたロープ２２に吊り下げられる。ロープ２２には、駆動モーター２０に対して乗りかご１０の反対側に、カウンタウェイト２４が吊り下げられる。
【００１６】
また、エレベータ装置は、駆動モーター２０などを制御するエレベータ制御盤３４を有している。エレベータ制御盤３４は、たとえば昇降路３０の上部の機械室３２に設置される。エレベータ制御盤３４と乗りかご１０との間には、ケーブル３６が延びている。
【００１７】
図４は、本実施の形態における乗りかごの一つの内側面の正面図である。
【００１８】
乗りかご１０には、乗客の乗降のために停止階で開閉するドア１２が取り付けられている。また、ドア１２の横には、乗客が行き先階を指定し、また、乗りかごのドアの開閉を指示するためのボタンを備えた操作盤１６が設けられる。
【００１９】
図１は、本実施の形態における乗りかごを斜め上方から見た斜視図である。図２は、本実施の形態における乗りかごを斜め下方から見た斜視図である。
【００２０】
乗りかご１０の内部に設けられた操作盤１６（図４参照）の背面には、操作盤ダクト１４が設けられている。操作盤ダクト１４の内部には、ボタンなどから入力される指示を処理する機器や、それらの信号をエレベータ制御盤３４に伝達し、また、エレベータ制御盤３４からの信号を受信するための端子が設けられている。エレベータ制御盤３４から延びるケーブル３６は、この端子に接続されている。
【００２１】
乗りかご１０の外面には、かご枠４０が設けられている。かご枠４０は、乗りかご1０のドア１２がない向かい合う側面に沿って鉛直に延びる２本の縦枠４２、乗りかご1０の上面の上側で２本の縦枠４２の上端の間に延びる上梁４４、および、乗りかご1０の下面の下側で２本の縦枠４２の下端の間に延びる下梁４６とからなる。
【００２２】
乗りかご１０の上面には、折りたたみ可能な点検用手すり９０が設けられている。また、乗りかご１０の上面には、かご手すり戻し忘れスイッチ５２、固定スイッチ５４および非常止めスイッチ５６が設けられている。かご手すり戻し忘れスイッチ５２は、乗りかご1０の上面に取り付けられた点検用手すり９０が折りたたまれているか否かを検知するスイッチである。固定スイッチ５４は、乗りかご１０の移動を禁止するスイッチであり、乗りかごの上面に乗った点検員が操作可能な位置に設けられる。非常止めスイッチ５６は、乗りかごの移動を停止させるスイッチである。かご手すり戻し忘れスイッチ５２、固定スイッチ５４および非常止めスイッチ５６は、たとえば上梁４４に固定されている。
【００２３】
乗りかご１０の上面で作業をする点検員は、まず、固定スイッチ５４を操作して、乗りかご１０の移動を禁止し、点検用手すり９０を立てて落下防止を図る。その後、エレベータ装置の点検作業を行う。点検作業の際に、何らかの理由によって乗りかご１０が移動し始めた場合、作業員は、非常止めスイッチ５６を操作することにより、乗りかご１０を緊急停止させることができる。
【００２４】
また、乗りかご１０の上面には、かご上ダクト５０が設けられている。かご上ダクト５０は、たとえば乗りかご１０の上面のドア１２側の端部に固定されている。さらに、乗りかご１０の上面には、中継ボックス５９が設けられている。中継ボックス５９は、たとえば上梁４４の近傍に配置される。乗りかご１０に固定された操作盤ダクトの内部に設けられ端部から中継ボックス５９の間には、かご上ダクト５０を経由して、集中配線５８が延びている。かご手すり戻し忘れスイッチ５２、固定スイッチ５４および非常止めスイッチ５６と中継ボックス５９との間は、末端配線５７でそれぞれ接続されている。
【００２５】
乗りかご１０の下面には、荷重センサ６２、セフティリンクスイッチ６４および尾灯６６が設けられている。荷重センサ６２は、乗りかご１０の底面のたわみを検知するセンサであり、乗りかご１０に定員以上の乗客が乗ったことを検知するために設けられる。セフティリンクスイッチ６４は、乗りかご１０が所定の速度以上で上昇または下降した際に動作するセフティが動作したことを検知するスイッチである。尾灯６６は、乗りかごの下方を照らす照明であり、昇降路３０の下端のピットでの点検作業などの際に、ピットを照らすためなどに用いられる。荷重センサ６２は、たとえば乗りかご１０の下面のほぼ中央部に取り付けられている。セフティリンクスイッチ６４および尾灯６６は、たとえば下梁４６に固定されている。
【００２６】
また、乗りかご１０の下面にも、たとえば下梁４６の近傍に、中継ボックス６９が設けられている。乗りかご１０に固定された操作盤ダクトの内部に設けられ端部から中継ボックス６９の間には、集中配線６８が延びている。荷重センサ６２、セフティリンクスイッチ６４および尾灯６６と中継ボックス６９との間は、末端配線６７でそれぞれ接続されている。
【００２７】
本実施の形態のエレベータ装置の乗りかご１０は、設置場所の形状などに応じて、ドア１２と奥の壁との距離が変えられるようになっている。しかし、かご手すり戻し忘れスイッチ５２、固定スイッチ５４および非常止めスイッチ５６は、上梁４４に固定されている。つまり、乗りかご１０の大きさが変わっても、これらの機器と上梁４４との距離は不変である。
【００２８】
また、セフティリンクスイッチ６４および尾灯６６と中継ボックス６９は、下梁４６に固定されている。荷重センサ６２は、下梁４６から所定の距離に設けられている。つまり、乗りかご１０の大きさが変わっても、これらの機器と下梁４６との距離は不変である。
【００２９】
したがって、かご手すり戻し忘れスイッチ５２、固定スイッチ５４および非常止めスイッチ５６、ならびに、荷重センサ６２、セフティリンクスイッチ６４および尾灯６６と中継ボックス６９は、いずれもかご枠４０からそれぞれ所定の距離に設けられた機器である。このため、中継ボックス５９，６９をかご枠４０から所定の距離に設けることにより、これらの機器と、中継ボックス５９，６９との距離は、乗りかご１０の大きさが変わっても不変である。
【００３０】
このため、それぞれの機器と中継ボックス５９，６９との距離に応じて末端配線５７，６７を製造しておくと、末端配線５７，６７に余剰部分を削減することができる。このように乗りかご１０の外面に設けられた機器に接続されたケーブルの余剰部分を削減することにより、乗りかご１０の上面に残る不要なケーブルが削減され、乗りかご１０の上部での点検作業などにおいて作業員の邪魔となることが少なくなる。よって、点検作業などを安全かつ迅速に行うことができるようになる。また、乗りかご１０の外部で乗りかご１０につながった不要なケーブルが削減されるため、昇降路３０の内部の突起などにケーブルが引っ掛かるおそれも小さくなる。さらに、末端配線５７，６７の端部に、中継ボックス５９，６９の端子およびそれぞれの機器と係合するコネクタを設けておくことにより、エレベータ装置の設置組立時の結線作業が容易になる。
【００３１】
なお、以上の説明は単なる例示であり、本発明は上述の実施の形態に限定されず、様々な形態で実施することができる。たとえば上述の実施の形態で説明した機器以外であっても、かご枠からの距離が決まっている機器であれば、中継ボックスを介して乗りかごに固定された端子部と接続することにより、ケーブルの余剰部分を削減することができる。
【図面の簡単な説明】
【００３２】
【図１】本発明に係るエレベータ装置の一実施の形態における乗りかごを斜め上方から見た斜視図である。
【図２】本発明に係るエレベータ装置の一実施の形態における乗りかごを斜め下方から見た斜視図である。
【図３】本発明に係るエレベータ装置の一実施の形態における側面図である。
【図４】本発明に係るエレベータ装置の一実施の形態における乗りかごの一つの内側面の正面図である。
【符号の説明】
【００３３】
１０…乗りかご、１２…ドア、１４…操作盤ダクト、１６…操作盤、２０…駆動モーター、２２…ロープ、２４…カウンタウェイト、３０…昇降路、３２…機械室、３４…エレベータ制御盤、４０…かご枠、４２…縦枠、４４…上梁、４６…下梁、５０…かご上ダクト、５２…かご手すり戻し忘れスイッチ、５４…固定スイッチ、５６…非常止めスイッチ、５７…末端配線、５８…集中配線、５９…中継ボックス、６２…荷重センサ、６４…セフティリンクスイッチ、６６…尾灯、６７…末端配線、６８…集中配線、６９…中継ボックス、９０…点検用手すり
【図１】
2010100356.tif 000003
【図２】
2010100356.tif 000004
【図３】
2010100356.tif 000005
【図４】
2010100356.tif 000006